(57)【要約】オペレーションパラメータを移動端末にダウンロードするための装置（３６）及びそれに関係付けられた方法を提供する。オペレーションパラメータは、移動端末（１２）が作動可能な通信システム（１０）のオペレータが運営するサーバー（２８）に記憶されている。パラメータを移動端末（１２）にダウンロードしようとする場合、サーバー（２８）は、ＳＭＳサービスセンター、又は他のデータメッセージサービスセンター（３２）に、移動端末に送付するデータメッセージを生成するように指示し、移動端末（１２）に、サーバー（２８）とデータ呼出接続を開始するよう指示する。データ呼出接続が形成されると、オペレーションパラメータは、移動端末（１２）にダウンロードされ、その後、通信システム（１０）内での以降の通信オペレーションにおいて移動端末（１２）により使用されることになる。
2004537912.tif 000002
【特許請求の範囲】
【請求項１】
データメッセージサービスセンターで生成されたデータメッセージを、無線通信システム内で作動可能な移動端末に、少なくとも伝送するネットワーク部を有する無線通信システムにおいて、前記移動端末は少なくとも第１のオペレーションパラメータに準拠して作動するようになっており、前記移動端末が作動する際に準拠する前記少なくとも第１のオペレーションパラメータを定義する値のダウンロードをやり易くするための前記ネットワーク部の装置を改良するものであり、前記装置は、
前記少なくとも１つのオペレーションパラメータを定義する値を前記移動端末にダウンロードする要求の表示を受信するために連結されているダウウンロード−オペレーションパラメータ開始信号発生器であって、前記少なくとも第１のオペレーションパラメータを定義する値の前記端末へのダウンロードを開始するために、前記データメッセージサービスセンターに向けた開始信号を生成するためのダウウンロード−オペレーションパラメータ開始信号発生器と、
前記データメッセージサービスセンターに配置されている、前記移動端末に伝送するためのダウンロードの開始を要求するデータ−メッセージ要求を生成するためのダウンロード−パラメータ要求信号発生器と、を備えていることを特徴とする装置。
【請求項２】
前記無線通信システムはＳＭＳ（ショート・メッセージ・サービス）メッセージ通信に備えており、前記データメッセージサービスセンターは、ＳＭＳサービスセンターから成り、前記ダウンロード−パラメータ要求信号発生器は、前記ＳＭＳサービスセンターに配置されていることを特徴とする請求項１に記載の装置。
【請求項３】
前記ダウンロード−パラメータ要求信号発生器により生成された前記データ−メッセージ要求は、前記移動端末に伝送するためのＳＭＳメッセージを含んでいることを特徴とする請求項２に記載の装置。
【請求項４】
前記請求項１の無線通信システムにおいて、前記移動端末が作動する際に準拠する前記少なくとも第１のオペレーションパラメータを定義する値のダウンロードをやり易くするために移動端末装置を更に改良するものであり、前記移動端末装置は、
前記ダウンロード−パラメータ要求信号発生器により生成されたデータメッセージ要求の表示を受信するために連結されている、ダウンロードの開始を要求する前記データメッセージ要求を検出するためのデータメッセージ要求検知器を備えていることを特徴とする装置。
【請求項５】
前記無線通信システムは、前記ネットワーク部に連結されているノードデバイスを有するシステムオペレータにより運営され、前記データメッセージ要求は、前記ノードデバイスを識別する値であり、前記移動端末は、更に、
前記データメッセージ要求検知器に連結されており、前記データメッセージ要求検知器による前記データメッセージ要求の検出に応じて、前記移動端末と、前記ネットワーク部に連結され前記データメッセージ要求で識別された前記ノードデバイスとの間にデータ接続を開始するように作動するデータ呼出イニシエータを備えていることを特徴とする請求項４に記載の装置。
【請求項６】
請求項５に記載の無線通信システムにおいて、前記移動端末が作動する際に準拠する前記少なくとも第１のオペレーションパラメータを定義する値のダウンロードをやり易くするためにノード−デバイス装置を更に改良するものであり、前記ノード−デバイス装置は、
前記データ呼出接続イニシエータによるデータ呼出接続の開始に応じて作動する、前記ノード−デバイスと前記移動端末の間にデータ呼出接続を完成させるためのデータ呼出コネクタを備えていることを特徴とするノード−デバイス装置。
【請求項７】
前記データ呼出コネクタに連結されている、前記ノード−デバイスと前記移動端末の間のデータ呼出の完了に続いて、前記少なくとも第１のオペレーションパラメータの値を前記移動端末に供給するためのオペレーションパラメータ値プロバイダを更に備えていることを特徴とする請求項６に記載のノード−デバイス装置。
【請求項８】
前記データ呼出イニシエータは、前記値の前記移動端末へのダウンロードの成功を報告するために、少なくとも、前記オペレーションパラメータ値プロバイダにより前記移動端末に供給された前記少なくとも第１のオペレーションパラメータの値のダウンロードの成功に応じて作動するデータ呼出状態レポータを更に備えていることを特徴とする請求項７に記載の装置。
【請求項９】
前記データ呼出状態レポータは、更に、前記少なくとも第１のオペレーションパラメータの値の前記移動端末へのダウンロードが成功したか否かを判定することを特徴とする請求項８に記載の装置。
【請求項１０】
前記データ呼出コネクタは、更に、前記データ呼出状態レポータにより行なわれた報告に続いて、データ呼出接続を終結させることを特徴とする請求項９に記載の装置。
【請求項１１】
前記データ呼出コネクタは、更に、前記ノード−デバイスと前記移動端末の間のデータ呼び出しの完了に先立ち、前記移動端末の認証を行なうことを特徴とする請求項６に記載のノード−デバイス装置。
【請求項１２】
前記無線通信システムのネットワーク部は、無線アクセスネットワークと、前記無線アクセスネットワークに連結されているパケットデータネットワークとを備えており、前記ノード−デバイスは、前記パケットデータネットワークに連結されたサーバーデバイスを備えており、前記データ呼出コネクタは、前記サーバーデバイスの機能的エンティティを備えていることを特徴とする請求項６に記載の装置。
【請求項１３】
データメッセージサービスセンターで生成されたデータメッセージを、無線通信システム内で作動可能な移動端末に、少なくとも伝送するネットワーク部を有する無線通信システム内で通信するための方法において、前記移動端末は少なくとも第１のオペレーションパラメータに準拠して作動するようになっており、前記移動端末が作動する際に準拠する前記少なくとも第１のオペレーションパラメータを定義する値のダウンロードをやり易くするための方法を改良するものであり、前記方法は、
前記少なくとも第１のオペレーションパラメータを定義する値の前記移動端末へのダウンロードを開始するために、前記データメッセージサービスセンターに向けた開始信号を生成する段階と、
前記データ−メッセージサービスセンターにおいて、前記移動端末に伝送するための、前記少なくとも第１のオペレーションパラメータを定義する値の前記移動端末へのダウンロードの開始を要求するデータメッセージ要求を生成する段階と、から成ることを特徴とする方法。
【請求項１４】
前記無線通信システムは、ＳＭＳ（ショート・メッセージ・サービス）メッセージ通信に備えており、前記データメッセージサービスセンターは、ＳＭＳサービスセンターから成り、前記データー−メッセージ要求を生成する前記オペレーションの間に生成された前記データ−メッセージ要求は、ＳＭＳメッセージを含んでいることを特徴とする請求項１３に記載の方法。
【請求項１５】
前記データ−メッセージ要求を前記移動端末に送る段階と、
前記移動端末に受信されると、前記データー−メッセージ要求を検出するする段階と、を更に含んでいることを特徴とする請求項１３に記載の方法。
【請求項１６】
前記検出オペレーションの間の前記データ−メッセージ要求の検出に対じて、前記移動端末と前記ネットワーク部に連結されているノード−デバイスとの間にデータ呼出接続を開始するオペレーションを、更に含んでいることを特徴とする請求項１５に記載の方法。
【請求項１７】
前記データ接続開始のオペレーションに応じて、前記ノード−デバイスと前記移動端末との間に前記データ呼出接続を完成させるオペレーションを、更に含んでいることを特徴とする請求項１６に記載の方法。
【請求項１８】
前記データ呼出接続を完成させるオペレーションに続いて、前記少なくとも１つの第１オペレーションパラメータの値を前記移動端末に供給するオペレーションを、更に含んでいることを特徴とする請求項１７に記載の方法。
【請求項１９】
前記少なくとも第１のオペレーションパラメータの値の前記移動端末へのダウンロードが成功したか否かを判定するオペレーションを、更に含んでいることを特徴とする請求項１８に記載の方法。
【請求項２０】
前記少なくとも第１のオペレーションパラメータの値の前記移動端末へのダウンロードが成功したことを判定するオペレーションの間に行なわれた判定に続いて、前記データ呼出接続を終結させるオペレーションを、更に含んでいることを特徴とする請求項１９に記載の方法。
【発明の詳細な説明】
【技術分野】
【０００１】
本発明は、概括的には、セルラー又は他の移動端末に、移動端末が作動する際に準拠するオペレーションパラメータを送付するための方法に関する。より厳密には、本発明は、オペレーションパラメータを、無線リンクを使って移動端末にダウンロードするための装置、及びそれに関係する方法に関する。オペレーションパラメータは、移動端末との間に形成されたデータ呼出接続に従ってダウンロードされる。オペレーションパラメータをダウンロードする場合、ＳＭＳ（ショート・メッセージ・サービス）メッセージのようなデータメッセージが移動端末に送られ、オペレーションパラメータが記憶されているか、或いは入手可能なノードデバイスとの間にデータ呼出接続を開始するよう、移動端末に要求する。移動端末に送付されたＳＭＳメッセージ又は他のデータメッセージに応えて、移動端末とノードデバイスの間にデータ呼出接続が形成されると、接続に従ってオペレーションパラメータが送付される。
【背景技術】
【０００２】
通信システムは、送信側が受信側にデータを送るために使用される。送信側端末は、データを、通信チャネル上で受信側端末に送付する。通信チャネルを適切に選択することにより、データの通信は、送信側端末と受信側端末の間で、たとえ両者が互いに非常に長い距離を隔てて離間している場合でも、実施可能である。
【０００３】
通信技術の進歩により、多種多様な通信システムが開発、具現化され、送信側端末と、別の離間した場所にある受信側端末との間のデータ通信ができるようになった。絶え間ない通信技術の進歩によって、益々大量のデータを、より速い伝送速度で送れるようになってきた。
【０００４】
無線通信システムは、無線通信システムのデータ通信容量を増すために通信技術における進歩が適用されてきた通信システムの代表例である。無線通信システムでは、送信側端末と受信側端末の間に形成される通信チャネルは、両者の間に伸張する無線リンク上に定義される。送信側端末と受信側端末を接続するのに配線接続は不要である。従来型の配線による通信システムでは、対照的に、送信側端末と受信側端末の間でデータを伝送するのに使用される通信チャネルを定義するには、配線接続が必要である。配線が不要であることから、無線通信システムでは、従来型の配線通信システムを使用した場合に比べて、本質的に通信の移動性が高まる。従って、無線通信システムは、移動体通信用として広く使用され、配線接続が不便又は非実用的である地点間の通信を実現している。
【０００５】
セルラー通信システムは無線通信システムの一種である。セルラー通信システムは、世界の広大な地域全域を跨いで設置されている。セルラー通信システムは、サービスプロバイダとも呼ばれるオペレータにより運営されている。また、加入者は、サービス加入申し込み金を払うことにより、本システムによる通信を申し込む。セルラー通信システムは、オペレーション仕様に従って構成されているが、様々なオペレーション仕様が普及している。通信技術の進歩によって可能になる都度、オペレーション標準を改訂して、新しく改善された特性が標準に組み込まれ、新しいタイプのセルラー通信システムのオペレーション標準を設定するために新らしい標準が公布される。
【０００６】
このような各種アップグレード及びその他の改訂には、移動端末がセルラー通信システム内で作動する際に準拠するオペレーションパラメータの変更が必要になる。改定版を利用するには、オペレーションパラメータを移動端末に提供せねばならない。場合によっては、セルラー通信システム内で移動端末が継続的に作動できるようにするには、移動端末側でオペレーションパラメータの改訂が必要となる。
【０００７】
移動端末のオペレーションパラメータで変更が必要となるものとしては、例えば、好適なローミングリストに関係付けられたパラメータ、移動端末に関係する新番号割当モジュール（ＮＡＭ）に関係付けられたパラメータ、強化された可変速度コーダーに関係付けられたパラメータの新値、移動端末に関係付けられた変更ＩＰ（インターネットプロトコル）アドレスに関係するパラメータ、及びアクセスポイント設定パラメータリストなどが挙げられる。ほかにも変更や改訂の対象となるパラメータがあるかもしれない。また、新たに作成されたパラメータも移動端末に提供する必要があるかもしれない。
【０００８】
移動端末のオペレーションパラメータを変更する際の従来のやり方では、移動端末をサービスセンターに返却し、そこで移動端末の再プログラム化を行なって、必要に応じてオペレーションパラメータの改訂を実施することが求められる。移動端末を戻すことは、大抵は、移動端末ユーザーに不便をかける。その結果、特に、サービスセンターが不便な場所にあったり、オペレーションパラメータの変更を継続的に実施するために何度も返却が必要となる場合には、サービスプロバイダの顧客満足度が下がることになりかねない。
【０００９】
また、移動端末のユーザーの近くにサービスセンターを維持し、サービスセンターに職員を配置するのは、サービスプロバイダに相当な投資と経費を強いることになる。
【００１０】
サービスセンターに移動端末を返却する必要なしに、移動端末が作動する際に準拠する単数又は複数のオペレーションパラメータの改訂を行える方法が提供されれば、サービスプロバイダの顧客満足度が増すことになるはずである。また、サービスセンターの維持に伴う費用も低減できるはずである。
【００１１】
本発明が非常に優れたものとなったのは、移動端末が作動する際に準拠するオペレーションパラメータに関するこのような背景的情報に基づいているからである。
【発明の開示】
【課題を解決するための手段】
【００１２】
従って、有益なことに、本発明は、セルラー移動端末などの移動端末が作動する際に準拠するオペレーションパラメータを提供するための装置と、それに関係付けられた方法を提供する。
【００１３】
本発明の或る実施形態の作用を通して、無線リンクにより移動端末にオペレーションパラメータをダウンロードする方法が提供される。オペレーションパラメータは、移動端末との間に形成されたデータ呼出接続に応じてダウンロードされる。オペレーションパラメータがダウンロードされるときには、ＳＭＳ（ショート・メッセージ・サービス）メッセージのようなデータメッセージが移動端末に送られ、オペレーションパラメータを記憶しているか、或いは入手可能なノードデバイスとの間にデータ呼出接続を開始するように、移動端末に求める。移動端末に送付されたＳＭＳメッセージ又は他のデータメッセージに応えて、移動端末とノードデバイスとの間にデータ呼出接続が形成されると、オペレーションパラメータは接続に応じて送付される。
【００１４】
本発明の１つの態様では、移動端末にオペレーションパラメータを伝送するための装置が、オペレータに提供される。既に移動端末に記憶されているオペレーションパラメータを更新する場合、又は別のオペレーションパラメータを移動端末に提供しようとする場合は、移動端末が作動する通信システムのオペレータに関係付けられたサーバーに、オペレーションパラメータの表示を記憶させるか、又は常駐させる。サーバーは、インターネットバックボーンのようなパケットデータネットワークに接続されるノードデバイスを形成する。サーバーに記憶されるか、又は常駐しているオペレーションパラメータの表示は、ユーザーがサーバーに接続されているユーザーアクチュエータを作動させることなどによって提供される。
【００１５】
通信システムは、ＧＳＭ（移動体通信用のグローバルシステム）通信システム内で提供されるＳＭＳ（ショート・メッセージ・サービス）メッセージングなどの、データメッセージングサービスを提供する。移動端末のオペレーションパラメータを改定、更新、或いは移動端末に提供しようとする場合、サーバーは、これもパケットデータネットワークに接続されているデータメッセージサービスセンターに送られる開始信号を生成する。開始信号は、オペレーションパラメータを定義する値を移動端末にダウンロードするためのダウンロード手続きを開始する。開始信号をデータメッセージサービスセンターに送付するのに続いて、ダウンロード−パラメータ要求信号が、データメッセージサービスセンターにより生成される。ダウンロード−パラメータ要求信号は、ＳＭＳメッセージのようなデータメッセージを形成し、これが移動端末に送られる。ダウンロード−パラメータ要求信号は、移動端末にダウンロード開始を要求する。
【００１６】
本発明の別の態様では、移動端末は移動端末に送信されたダウンロード−パラメータ要求信号を検出する。この要求には、移動端末にダウンロードされるべきオペレーションパラメータを保有するノードデバイスを形成しているサーバーの識別を表示することが含まれる。サーバーは、例えば、ＩＰ（インターネットプロトコル）アドレスにより識別され、サーバーのＩＰアドレスはダウンロード−パラメータ要求信号内に含まれている。
【００１７】
移動端末は、ダウンロード−パラメータ要求信号が検知されると、これに応じて、移動端末と、移動端末にダウンロードされるべきオペレーションパラメータが存在するサーバーとの間にデータ接続を開始するためにデータメッセージ要求を起動する。
【００１８】
本発明の更に別の態様では、サーバーは、移動端末が要求を検出してデータ接続を開始すると、これに応じて、サーバーと移動端末との間にデータ接続を完成させるよう作動することができる。データ呼出接続が形成されると、オペレーションパラメータが、サーバーから移動端末にダウンロードされる。
【００１９】
オペレーションパラメータが首尾よく移動端末にダウンロードされたか否かについて、移動端末により判定が行なわれる。うまくいった場合には、移動端末は、オペレーションパラメータの引き渡しが成功した旨の表示をサーバーに返す。また、引き渡しが不成功の場合には、対応する表示がサーバーに返される。オペレーションパラメータの移動端末へのダウンロードが首尾よく完了すると、データ呼出接続は終結する。
【００２０】
移動端末へのオペレーションパラメータのダウンロードの開始に当たり、ＳＭＳメッセージのようなデータメッセージが移動端末に送られるので、そして、オペレーションパラメータのダウンロードを実現するためにデータ呼出接続が形成されるので、移動端末へオペレーションパラメータをダウンロードするために移動端末をサービスセンターに返却する必要はなくなる。これにより、移動端末の利用に関する利便性が高まる。また、サービスセンターがこのようなダウンロードを行なう必要性がなくなるので、通信システムのオペレータに掛かる費用は少なくてすむ。
【００２１】
上記及び他の態様では、従って、少なくともデータメッセージセンターで生成されたデータメッセージを移動端末に伝送するネットワーク部分を有する無線通信システムに、装置及びそれに関係付けられた方法が提供される。移動端末は、少なくとも第１オペレーションパラメータに準拠して作動可能である。移動端末が作動する際に準拠する少なくとも第１のオペレーションパラメータを定義する値のダウンロードがやり易くなる。ダウンロード−オペレーションパラメータ開始信号発生器は、少なくとも１つのオペレーションパラメータを定義する値を移動端末にダウンルロードする旨の要求の表示を受信するために連結される。ダウンロード−オペレーションパラメータ開始信号発生器は、少なくとも第１のオペレーションパラメータを定義する値の移動端末へのダウンロードを開始するために、データメッセージサービスセンターに向けられた開始信号を生成する。ダウンロード−パラメータ要求信号発生器は、データメッセージサービスセンターに配置されている。ダウンロード−パラメータ要求信号発生器は、移動端末への伝送のためのデータ−メッセージ要求を生成する。データ−メッセージ要求は、ダウンロードの開始を要求する。
【００２２】
後に簡単に要約説明している添付図面、本発明の現下の好適な実施形態に関する以下の詳細な説明、並びに特許請求の範囲を参照頂ければ、本発明並びにその範囲を、より完全に理解頂けるであろう。
【発明を実施するための最良の形態】
【００２３】
先ず、図１は、移動端末１２との無線通信を提供する代表的な無線通信システムを、全体として符合１０で示している。データ伝送は、無線チャネルが定義されている無線リンク１４により、移動端末との間で行われる。例示の実施形態では、通信システムはＧＳＭ（移動通信用のグローバルシステム）、即ちＳＭＳ（ショート・メッセージ・サービス）メッセ−ジングを提供するセルラー通信システムを形成している。以下の説明では、通信システム１０がＧＳＭセルラー通信システムで構成されている場合の本発明の実施形態の作用を説明していくことになるが、本発明の実施形態の作用は他種の通信システムにおいても同じ様に実施可能であると理解頂きたい。
【００２４】
ここで、本通信システムは、無線アクセスネットワーク１６と、それに接続されているパケットデータネットワーク（ＰＤＮ）１８とを含むネットワーク部を備えている。
【００２５】
無線アクセスネットワーク１６は、複数の送受信基地局（ＢＴＳ）を含んでおり、その中の１つの送受信基地局２０を図に示している。各送受信基地局は、セルと呼ばれる通達範囲を規定している。移動端末１２のような移動端末が、送受信基地局により規定されたセル内に位置している場合、移動端末との通信は、一般的に、当該移動端末が位置しているセルを規定している送受信基地局により行われる。
【００２６】
送受信基地局２０は基地局制御装置（ＢＳＣ）２２に接続されている。通常、１つの基地局制御装置には一群の送受信基地局が接続されている。基地局制御装置は、接続されている送受信基地局の動作を制御する各種制御機能を実行することができる。基地局制御装置により制御される動作には、例えば、基地局制御装置に接続されている送受信基地局により規定されたセル内に位置する移動端末との通信セッション用のチャネル割当が挙げられる。
【００２７】
基地局制御装置は、ゲートウェイ（ＧＷＹ）２４によりパケットデータネットワーク１８に接続されている。
【００２８】
ノードを形成している通信装置は、パケットデータネットワークに接続されている。適切に接続されると、通信装置は、パケットデータネットワークを通じてパケットデータを伝送する。ここで、パケットデータネットワークには、コンピュータサーバー２８が接続されている。データメッセージサービスセンター３２も、パケットデータネットワークに接続されている。データメッセージセンターは、ここではＳＭＳ（ショート・メッセージ・サービス）サービスセンターを形成している。データメッセージセンターは、データメッセージ、即ちここではＳＭＳメッセージを生成し、或いは移動端末１２に対して送受信を行なう。パケットデータネットワークには他の装置も同様に接続され、それらを介して移動端末１２と、無線アクセスネットワーク及び無線リンクで、通信可能となっている。
【００２９】
先に述べたように、移動端末は、記憶しているオペレーションパラメータに則って作動することができる。移動端末には、オペレーションパラメータを改定、更新、或いは新しいオペレーションパラメータを提供する必要がある。通信システム１０は、単数又は複数のオペレーションパラメータを、無線リンク１４を使ってダウンロードし、それによりオペレーションパラメータを移動端末に遠隔的にインストールする便利な方法を提供する、本発明の実施形態を含んでいる。そうなっていない場合には移動端末をサービス及び修理センターに返却してオペレーションパラメータを移動端末にインストールしなければならない、という必要性はなくなる。
【００３０】
従って、サーバー２８は、本発明の実施形態の装置３６を含んでいる。装置３６は、ユーザーインタフェース３８によるユーザー入力の表示を受信するために連結されている。ユーザーインタフェースは、例えば、従来のやり方でサーバー２８に連結されているコンピュータキーボードを形成している。装置３６の要素は機能的に表示されている。この要素は、サーバーの処理回路により実行できるアルゴリズムのような、任意のやり方で実装することができる。
【００３１】
ノードデバイス装置は、ユーザーインタフェースによる適当なユーザー入力、又は他の選択基準に応じて作動することのできるダウンロード・パラメータ開始信号発生器４２を含んでおり、これは、パケットデータネットワークを通してデータメッセージサービスセンター３２に送られる開始信号を生成する。データメッセージサービスセンターは、更に、本発明の或る実施形態の別の装置３６も含んでいる。この装置は、ダウンロード・パラメータ要求信号生成器４４を含んでいる。ここでも、要素は機能的に表示されており、データメッセージサービスセンターの処理デバイスで実行可能なアルゴリズムなど、任意のやり方で実装することができる。
【００３２】
ダウンロード・パラメータ要求信号発生器４４は、無線リンク１４上に定義された無線チャネル上で、パケットデータネットワーク、無線アクセスネットワークを通して、移動端末１２に受信されることになる、伝送用のデータメッセージ要求を生成することができる。移動端末１２は、データメッセージサービスセンターにより生成され移動端末に伝送されるデータメッセージ要求を受信するように連結されている受信部４８を含んでいる。移動端末は、更に、本発明の或る実施形態の別の装置３６も含んでいる。ここでは、装置３６は、データメッセージ要求検知器５２を含んでいるものとして示されている。ここでも、装置３６の要素は機能的に表示されており、例えば、やはり処理回路で実行可能なアルゴリズムなど、任意のやり方で実装することができる。
【００３３】
データメッセージ要求検知器５２は、移動端末の受信部４８で受信されたデータメッセージ要求の表示を検出する。そして、このような検出が行なわれると、データ呼出イニシエータ及び状態レポータ５４にこの表示が供給される。データメッセージ要求検知器がデータメッセージ要求を検出すると、データ呼出が起動され、データ呼出イニシエータ及び状態レポータにより始動される。
【００３４】
データ呼出イニシエータ及び状態レポータ５４は、移動端末の送信部５８に連結されている。送信部は、データ呼出接続開始要求を送信して、移動端末１２とサーバー２８の間にデータ呼出接続を形成する。送信部により生成された信号は、無線リンク１４を使って送られ、その後無線アクセスネットワーク、パケットデータネットワークを通して送信され、サーバー２８に引き渡される。
【００３５】
サーバー２８に配置された装置３６は、送信部５８により生成された信号がサーバーに検出されると、それに応じて作動するデータ呼出コネクタ６２を更に含んでいる。データ呼出コネクタは、次に、移動端末とコンピュータサーバーの間にデータ呼出接続を作り出す。データ呼出接続が形成されると、オペレーションパラメータが、コンピュータサーバーから移動端末に、データ呼出接続に応じてダウンロードされる。ここで、装置３６は、移動端末にダウンロードされることになるオペレーションパラメータが記憶され、或いは常駐している、オペレーションパラメータプロバイダ６４を含んでいるものとして示されている。オペレーションパラメータは、例えば、コンピュータサーバーのメモリ位置に記憶され、例えばユーザーインタフェース３８をユーザーが作動させることによりコンピュータサーバーに入力される。
【００３６】
オペレーションパラメータは、移動端末にダウンロードされ、その後、通信システム内の以降の通信に準拠して移動端末で使用されることになる。データ呼出イニシエータ及び状態レポータは、更に、オペレーションパラメータが首尾よくダウンロードされたか否かを判定し、少なくともオペレーションパラメータのダウンロードがうまくいった旨を示す、サーバーに戻すことになる報告を生成することができる。オペレーションパラメータが移動端末に首尾よくダウンロードされると、データ呼出接続は終結するが、ここではデータ呼出コネクタ６２により生成された指示により終結する。
【００３７】
図２は、メッセージシーケンス図を全体として符合７２で示しており、本図は、本発明のある実施形態の作動時の（図１に示す）通信システム１０の動作中に生成される信号送信を表している。
【００３８】
サーバー２８は、データメッセージ・サービスセンター３２により構成されたショートメッセージ・サービスセンターに送信される、セグメント７４で示すダウンロード・パラメータ開始信号を生成する。開始信号が検出されると、ＳＭＳセンターは、セグメント７８で示す、データメッセージ要求を形成するＳＭＳメッセージを生成し、これを移動端末１２に伝送する。
【００３９】
移動端末は、ブロック８２で示すように、サーバー２８とのデータ接続を開始する。セグメント８４で示すように、移動端末は、顧客初期化及びデバイス情報をサーバーに伝送する。
【００４０】
コンピュータサーバーは、認証手続きに準じるなどして移動端末の検証を行い、サーバーに提供された情報に基づいて実行すべきオペレーションを決める。検証と確定はブロック８６に示されている。サーバーは、セグメント８８に示すように、サーバー初期設定とデータを移動端末に提供する。ブロック９２に示すように、移動端末はサーバーを認証し、オペレーションパラメータのダウンロードが行なわれる。そして、セグメント９４に示すように、移動端末は、移動端末に対するオペレーションパラメータのダウンロードが成功したことを報告する。
【００４１】
ここで、ブロック９６に示すように、サーバー２９は、ダウンロードオペレーションの状態を記録する。そして、セグメント９８に示すように、サーバーは、移動端末により生成された報告メッセージを確認し、通信セッションの終了を表示してデータ呼出接続を終結する。
【００４２】
図３は、移動端末が作動する際に準拠する少なくとも第１のオペレーションパラメータを定義している値のダウンロードをやり易くするための、本発明のある実施形態の方法を、全体として１０２で示している。移動端末は、少なくともデータメッセージサービスセンターで生成された通信データメッセージを伝送するネットワーク部分を有する無線通信システム内で通信する。
【００４３】
先ず、ブロック１０４に示すように、少なくとも第１のオペレーションパラメータを定義する値の移動端末へのダウンロードを開始するよう、データメッセージサービスセンターに向けた開始信号が生成される。
【００４４】
次いで、ブロック１０５に示すように、移動端末との通信のために、データメッセージサービスセンターでデータメッセージ要求が生成される。このデータメッセージ要求は、少なくとも第１のオペレーションパラメータを定義する値の移動端末へのダウンロードの開始を要求する。
【００４５】
次いで、ブロック１０８に示すように、データメッセージ要求が、移動端末に送られ、そこで検出される。データメッセージ要求の検出に応えて、データ呼出接続が開始、形成されるが、これはブロック１１２示されている。そして、ブロック１１４に示すように、少なくとも第１のオペレーションパラメータが移動端末にダウンロードされる。
【００４６】
これにより、移動端末へのオペレーションパラメータの無線伝送により、オペレーションパラメータを移動端末に遠隔的にダウンロードする方法が提供される。そうでない場合には移動端末をサービスセンターに返却してオペレーションパラメータを移動端末にダウンロードしてもらわなければならない、という必要性はなくなる。
【００４７】
以上の説明は、本発明を実施するための好適な実施例を示したものであるが、本発明の範囲は、必ずしもこの説明に限定されるものではない。本発明の範囲は、特許請求の範囲に示す内容により定義されるものとする。
【図面の簡単な説明】
【００４８】
【図１】本発明の実施形態が作動する通信システムの機能ブロック図を示す。
【図２】本発明の或る実施形態の作動時の、図１に示す通信システムの各種要素により生成される信号送信を表すメッセージシーケンス図を示す。
【図３】本発明の或る実施形態の作動方法の方法段階を掲載した方法フロー図を示す。
【図１】
2004537912.tif 000003
【図２】
2004537912.tif 000004
【図３】
2004537912.tif 000005
【国際公開パンフレット】
2004537912.tif 000006
2004537912.tif 000007
2004537912.tif 000008
2004537912.tif 000009
2004537912.tif 000010
2004537912.tif 000011
2004537912.tif 000012
2004537912.tif 000013
2004537912.tif 000014
2004537912.tif 000015
2004537912.tif 000016
2004537912.tif 000017
2004537912.tif 000018
2004537912.tif 000019
2004537912.tif 000020
2004537912.tif 000021
2004537912.tif 000022
2004537912.tif 000023
2004537912.tif 000024
2004537912.tif 000025
2004537912.tif 000026
2004537912.tif 000027
2004537912.tif 000028
2004537912.tif 000029
2004537912.tif 000030
2004537912.tif 000031
2004537912.tif 000032
2004537912.tif 000033
【国際公開パンフレット（コレクトバージョン）】
2004537912.tif 000034
2004537912.tif 000035
【国際調査報告】
2004537912.tif 000036
2004537912.tif 000037